(57)【要約】【課題】高速に制御信号の最適値を探索し、受信装置に近接する物体の影響によるアンテナの同調周波数のずれを補正することができ、近接する物体の影響に変化が生じてもその変化に追従して同調周波数のずれを補正することができる受信装置を提供する。【解決手段】演算部１０４は、アンテナ１０１に近接する物体によって変化するアンテナ１０１の同調周波数の変化量と変化方向とを特定し、上記制御信号の最適値を探索するときに、探索するべき制御信号の値の範囲を予め限定し、高速に上記探索を実行することでアンテナ１０１の同調周波数のずれを補正し、さらに、近接する物体の変化を検出することで近接する物体の変化に追従して同調周波数のずれを常に補正する。【選択図】図１
2011139202.tif 000002
【特許請求の範囲】
【請求項１】
電波を受信し、受信した該電波に対応した受信信号を出力するアンテナと、
該アンテナからの前記受信信号が入力され、該受信信号の受信状態又は信号品質を測定する機能を備えた受信回路と、
該受信回路において測定された前記受信状態又は前記信号品質を読み取る機能、及び制御信号を出力する機能を備えた演算部と、
前記制御信号が入力され、前記アンテナの利得が最大となる周波数である同調周波数を調節する機能を有する同調周波数調節部とを備え、
前記受信状態又は前記信号品質は、前記制御信号の値によって変化し、且つ前記受信した電波の周波数と前記同調周波数とが一致したときに最良となり、
前記演算部は、前記受信状態又は前記信号品質が最良となる前記制御信号の値が存在し得る範囲を探索範囲と定め、該探索範囲の中から前記受信状態又は前記信号品質が最良となる前記制御信号の最適値を探索する探索手段を備えた受信装置において、
前記探索手段は、前記受信した電波の前記受信状態又は前記信号品質が前記最良でないことに応答して、前記制御信号の前記最適値の再探索を実施することを特徴とする受信装置。
【請求項２】
請求項１に記載の受信装置において、
前記探索手段は、前記探索範囲を、前記制御信号が取り得る全ての値の範囲よりも狭い範囲に定める探索範囲限定手段を備えていることを特徴とする受信装置。
【請求項３】
請求項１又は２に記載の受信装置において、
前記探索手段による前記再探索は、前記受信装置の機能が開始されたとき、
及び通常動作状態において、前記受信した電波の前記受信状態又は前記信号品質が前記最良でないときに、実施されることを特徴とする受信装置。
【請求項４】
請求項３に記載の受信装置において、
前記演算部は、前記制御信号の値を互いに異なる第一の設定値と第二の設定値の２通りの値に設定して、各値における前記受信状態又は前記信号品質を測定し、両者の比較結果に基づいて前記探索手段による前記再探索を実施するか否かを判定することを特徴とする受信装置。
【請求項５】
請求項４に記載の受信装置において、
前記第一の設定値は、前記探索手段によって探索された前記制御信号の前記最適値であり、前記第二の設定値は、前記アンテナの前記同調周波数が受信周波数に一致するときの前記制御信号の値であり、
前記演算部は、前記制御信号が前記第二の設定値のときの前記受信状態又は前記信号品質が、前記制御信号が前記第一の設定値のときの前記受信状態又は前記信号品質よりも良好であるか否かの比較を行い、
前記探索手段は、当該良好であるとの当該比較結果に応答して、記制御信号の前記最適値の再探索を実施することを特徴とする受信装置。
【請求項６】
請求項５に記載の受信装置において、
前記演算部は、前記探索手段による前記再探索に代えて、前記制御信号の値を前記アンテナの前記同調周波数が受信周波数に一致するときの前記制御信号の値に設定することを特徴とする受信装置。
【請求項７】
請求項３に記載の受信装置において、
前記演算部は、前記探索手段が前記制御信号の前記最適値を探索したときの前記最適値に対応する前記受信状態又は前記信号品質と、前記制御信号の前記最適値を探索した後に再度測定した前記最適値に対応する前記受信状態又は前記信号品質との差が所定の閾値を超えているか否かの比較を行い、
前記探索手段は、当該差が前記所定の閾値を超えているとの当該比較結果に応答して、前記制御信号の前記最適値の再探索を実施することを特徴とする受信装置。
【請求項８】
請求項３に記載の受信装置において、
前記演算部は、前記制御信号の値を互いに異なる第一の設定値、第二の設定値、第三の設定値の３通りの値に設定して、各値における前記受信状態あるいは信号品質を測定し、これらの比較結果を元に前記探索手段による前記再探索を実施するか否かを判定することを特徴とする受信装置。
【請求項９】
請求項８に記載の受信装置において、
前記第一の設定値は、前記探索手段によって探索された前記制御信号の前記最適値であり、第二の設定値は、前記最適値を所定の値だけ大きくした値であり、第三の設定値は、前記最適値を所定の値だけ小さくした値であり、
前記演算部は、前記制御信号が前記第一の設定値のときの前記受信状態又は前記信号品質が、前記制御信号が前記第二乃至第三のときの前記受信状態又は前記信号品質の中間にあるか否かの比較を行い、
前記探索手段は、当該中間にあるとの当該比較結果に応答して、前記制御信号の前記最適値の再探索を実施することを特徴とする受信装置。
【請求項１０】
請求項４〜９のいずれか一項に記載の受信装置において、
前記条件における前記最適値は、前記探索手段が前記再探索を実施して得られた前記制御信号の前記最適値に更新されることを特徴とする受信装置。
【請求項１１】
請求項４〜１０のいずれか一項に記載の受信装置において、
前記受信装置の機能が終了されることに応じて、前記制御信号の値は前記アンテナの前記同調周波数が受信周波数に一致するときの当該制御信号の値に戻されることを特徴とする受信装置。
【請求項１２】
電波を受信し、受信した該電波に対応した受信信号を出力するアンテナと、
該アンテナからの前記受信信号が入力され、該受信信号の受信状態又は信号品質を測定する機能を備えた受信回路と、
該受信回路において測定された前記受信状態又は前記信号品質を読み取る機能、及び制御信号を出力する機能を備えた演算部と、
前記制御信号が入力され、前記アンテナの利得が最大となる周波数である同調周波数を調節する機能を有する同調周波数調節部とを備え、
前記受信状態又は前記信号品質は、前記制御信号の値によって変化し、且つ前記受信した電波の周波数と前記同調周波数とが一致したときに最良となり、
前記演算部は、前記受信状態又は前記信号品質が最良となる前記制御信号の値が存在し得る範囲を探索範囲と定め、該探索範囲の中から前記受信状態又は前記信号品質が最良となる前記制御信号の最適値を探索する探索手段を備えた受信装置において、
前記探索手段は、前記受信装置に取り付けられて前記受信装置の位置、姿勢における変化を加速度の変化として検出する加速度センサの検出出力が所定の値を超えたことに応答して、前記制御信号の前記最適値の再探索を実施することを特徴とする受信装置。
【請求項１３】
電波を受信し、受信した該電波に対応した受信信号を出力するアンテナと、
該アンテナからの前記受信信号が入力され、該受信信号の受信状態又は信号品質を測定する機能を備えた受信回路と、
該受信回路において測定された前記受信状態又は前記信号品質を読み取る機能、及び制御信号を出力する機能を備えた演算部と、
前記制御信号が入力され、前記アンテナの利得が最大となる周波数である同調周波数を調節する機能を有する同調周波数調節部とを備え、
前記受信状態又は前記信号品質は、前記制御信号の値によって変化し、且つ前記受信した電波の周波数と前記同調周波数とが一致したときに最良となり、
前記演算部は、前記受信状態又は前記信号品質が最良となる前記制御信号の値が存在し得る範囲を探索範囲と定め、該探索範囲の中から前記受信状態又は前記信号品質が最良となる前記制御信号の最適値を探索する探索手段を備えた受信装置において、
前記探索手段は、前記受信装置に取り付けられて前記受信装置に対する物体の接触を検出する接触センサの検出出力が所定の値を超えたことに応答して、前記制御信号の前記最適値の再探索を実施することを特徴とする受信装置。
【請求項１４】
電波を受信し、受信した該電波に対応した受信信号を出力するアンテナと、
該アンテナからの前記受信信号が入力され、該受信信号の受信状態又は信号品質を測定する機能を備えた受信回路と、
該受信回路において測定された前記受信状態又は前記信号品質を読み取る機能、及び制御信号を出力する機能を備えた演算部と、
前記制御信号が入力され、前記アンテナの利得が最大となる周波数である同調周波数を調節する機能を有する同調周波数調節部とを備え、
前記受信状態又は前記信号品質は、前記制御信号の値によって変化し、且つ前記受信した電波の周波数と前記同調周波数とが一致したときに最良となり、
前記演算部は、前記受信状態又は前記信号品質が最良となる前記制御信号の値が存在し得る範囲を探索範囲と定め、該探索範囲の中から前記受信状態又は前記信号品質が最良となる前記制御信号の最適値を探索する探索手段を備えた受信装置において、
前記探索手段は、前記受信装置の蓋の開閉等の動作状態を検出する動作センサの検出出力が所定の値を超えたことに応答して、前記制御信号の前記最適値の再探索を実施することを特徴とする受信装置。
【発明の詳細な説明】
【技術分野】
【０００１】
本発明は、アンテナを内蔵した携帯型の受信装置に関する。
【背景技術】
【０００２】
携帯型の受信装置において、デザイン性の向上、アンテナ破損リスクの低減などの要求から、アンテナを小型化し、筐体内への内蔵化が求められている。そこで、アンテナの利得が最大となる周波数（以下、同調周波数）を可変にしたチューナブルアンテナを用いて、アンテナの同調周波数を、端末使用者が受信を希望する周波数に適宜合わせることで、高利得且つ広帯域の受信が可能な内蔵アンテナが実現されている。
【０００３】
チューナブルアンテナは、アンテナの特性インピーダンス調節回路を用いてアンテナの特性インピーダンスを所定の値に調節することで、同調周波数を端末使用者が受信を希望する周波数に一致させている。特性インピーダンス調節回路の制御は制御信号によって行われる。しかしながら、受信装置に近接する物体の影響を受けてアンテナの特性インピーダンスが変化し、端末使用者が受信を希望する周波数に対してアンテナの同調周波数がずれてしまう現象が生じる。特に、携帯型受信装置においては、手で持って使用する形態が考えられるが、この場合、受信装置は使用者の人体に近接して使用されるため、受信装置を机上に置いて使用するなどの場合と比較して、人体の影響によりアンテナの特性インピーダンスが変化する。このようなずれが生じると、端末使用者が受信を希望する周波数でのアンテナ利得が低下し、受信感度が劣化する。
【０００４】
この劣化を解決するために、受信信号電力（Received Signal Strength Indicator、以下「ＲＳＳＩ」と略す。）を監視し、ＲＳＳＩが最大値となる制御信号の値を探索する方法が特許文献１に開示されている。これによれば、近接人体の影響により、アンテナとのインピーダンス不整合が生じてアンテナ同調周波数が変化し、本来のアンテナ利得が得られなくなってＲＳＳＩが低下した場合でも、インピーダンスを整合させる制御信号の最適値を自動的に探索することで、ＲＳＳＩを回復することができる。
【先行技術文献】
【特許文献】
【０００５】
【特許文献１】特開２００７−１３８９０号公報
【発明の概要】
【発明が解決しようとする課題】
【０００６】
しかしながら、上記制御信号の最適値を探索する方法において、受信装置を手に持って使用している場合に端末を手で持つ場合の持ち方が変わった場合など、近接する物体の影響が変化してアンテナの特性インピーダンスが変化した場合に、上記制御信号の最適値が変化してしまう課題がある。
【０００７】
本発明の目的は、上記の点に鑑み、アンテナに近接する物体による影響が変化しアンテナの同調周波数を調節する制御信号の最適値が変動する場合であっても、常にアンテナの動作を最適な状態に維持する受信装置を提供することである。
【課題を解決するための手段】
【０００８】
本発明に係る受信装置は、前記受信装置が受信した信号の受信状態あるいは信号品質が最良となる前記制御信号の値が存在し得る範囲を探索範囲と定め、この探索範囲の中から前記受信状態あるいは信号品質が最良となる前記制御信号の値を所定の手順に従って探索する探索手段を備えている。
【０００９】
そして、アンテナに近接する物体によって変化するアンテナの同調周波数の変化量と変化方向を特定し、前記受信状態あるいは信号品質が最良となる前記制御信号の値を探索するときに、探索するべき制御信号の値の範囲を限定し、高速に上記探索を実行してアンテナの同調周波数のずれを補正する。
【００１０】
また、アンテナに近接する物体による影響の変化を検出して、制御信号の最適設定値を変更する必要がある場合には最適な設定値を適宜探索して、常に制御信号値を最適な値に維持させる。
【発明の効果】
【００１１】
本発明に係る受信装置によれば、特別に追加回路を設けることなく、高速に上記制御信号の最適値を探索することでアンテナの同調周波数のずれを補正することができ、アンテナに近接する物体による影響が変化しアンテナの同調周波数を調節する制御信号の最適値が変動した場合にも常にアンテナの動作を最適な状態に維持することができる。
【図面の簡単な説明】
【００１２】
【図１】本発明による受信装置の一実施例を示したブロック図である。
【図２】本発明による同調周波数調節部の一実施例を示したブロック図である。
【図３】制御信号値に対する同調周波数の変化特性図である。
【図４】制御信号値に対するＣＮＲの変化特性図である。
【図５】ＣＮＲが最大となる制御信号値を探索するアルゴリズムのフローチャートである。
【図６】人体影響がある場合と無い場合、それぞれの制御信号値に対する同調周波数の変化特性図である。
【図７】制御信号値に対するＣＮＲの変化特性図である。
【図８】ＣＮＲが最大となる制御信号値を高速に探索するアルゴリズムのフローチャートである。
【図９】本発明による制御信号値を探索するアルゴリズムのフローチャートである。
【図１０】本発明による受信装置の一実施例を示したブロック図である。
【図１１】端末の筐体形状変化の一例を示した図である。
【図１２】ＣＮＲ測定結果の一例を示す図である。
【図１３】ＣＮＲを測定する手順を示すフローチャートである。
【図１４】制御信号最適値の再探索開始の要否を判定するアルゴリズムのフローチャートである。
【図１５】制御信号値に対するＣＮＲの変化特性図である。
【図１６】本発明による制御信号値を探索するアルゴリズムの別の実施例を示すフローチャートである。
【図１７】制御信号値に対するＣＮＲの変化特性図である。
【図１８】本発明による制御信号値を探索するアルゴリズムの別の実施例を示すフローチャートである。
【図１９ａ】制御信号値に対するＣＮＲの変化特性図である。
【図１９ｂ】制御信号値に対するＣＮＲの別の変化特性図である。
【図２０】本発明による受信装置の一実施例を示したブロック図である。
【図２１】本発明による制御信号値を探索するアルゴリズムのフローチャートである。
【図２２】制御信号最適値の再探索開始の要否を判定するアルゴリズムのフローチャートである。
【発明を実施するための形態】
【００１３】
以下、図面を参照して、この発明による受信装置の実施例を説明する。
【実施例１】
【００１４】
図１は本発明による受信装置の実施例の一例を示すブロック図である。以下、本発明を地上デジタル放送受信装置に適用した場合の、図１に示した実施例の詳細について説明する。
【００１５】
国内で実施されている地上デジタル放送は４７０ＭＨｚから７７０ＭＨｚの周波数帯を５０本のチャネルに周波数分割して使用しており、一つのチャネルの周波数帯域幅は６ＭＨｚである。アンテナを筐体に内蔵することを考えた場合、携帯端末や移動体端末では小サイズ化が必要であるが、アンテナの利得は小型化により低下してしまう。一方で、アンテナの受信周波数帯域幅を狭くするほど利得を高くすることができるため、アンテナの受信周波数帯域幅を狭帯域化し、さらにアンテナの利得が最大となる周波数（同調周波数）を可変可能なチューナブルアンテナとして機能させる構成にする。この結果、端末使用者が受信を希望する周波数に同調周波数を適宜合わせることで高利得かつ広帯域の受信を実現することができる。
【００１６】
本発明による受信装置が実装された端末の使用者は、視聴したい周波数チャネルをキー操作などにより端末に入力する。受信装置はこの入力された情報を元に使用者が視聴を所望する周波数チャネルを選局して受信する。
【００１７】
本実施例の受信装置は、アンテナ１０１と、同調周波数調節部１０２と、受信回路部１０３と、演算部１０４とを備えている。また、演算部１０４は記憶部１０５を備えている。
【００１８】
アンテナ１０１は、図示しない送信装置が送信した電波を受信することができ、アンテナが受信した電波に応じた高周波信号を同調周波数調節部１０２へ出力する。同調周波数調節部１０２は、アンテナ１０１から入力された高周波信号を受信回路１０３へ出力する。受信回路１０３は、同調周波数調節部１０２から入力された高周波信号の中から、端末使用者のキー操作などに従って決定される受信を希望する周波数（即ち、受信周波数）を選局し、ベースバンド信号に変換した後、デジタル復調及び誤り訂正処理を施し、ＴＳ信号（トランスポートストリーム信号）を出力すると同時に、前記選局された高周波信号の信号品質として、前記高周波信号の搬送波帯における搬送波の平均電力と雑音電力の比であるＣＮＲ（Carrier to Noise Ratio）を測定する。
【００１９】
演算部１０４は、受信回路１０３が測定したＣＮＲを読み取る。本実施例ではＣＮＲを用いるが、ＣＮＲ以外にも、コンスタレーションの理想的なシンボル位置と実際のシンボル位置とがどれだけずれているかを表現したＭＥＲ（Modulation Error Ratio、変調誤差比）、復調したデジタル信号の誤りビット数と全ビット数との比を表すＢＥＲ（Bit Error Rate、ビット誤り率）、又は受信した信号の信号強度などの受信回路１０３が測定可能な他の指標を用いても良い。
【００２０】
また、演算部１０４は、同調周波数調節部１０２を制御するための制御信号を出力する。演算部１０４から出力された制御信号は、同調周波数調節部１０２へ入力される。同調周波数調節部１０２は、入力された前記制御信号に従って、アンテナ１０１の特性インピーダンスを変化させることで、アンテナ１０１の同調周波数を変化させることができる。この動作により、アンテナ１０１と同調周波数調節部１０２は、同調周波数を可変可能なチューナブルアンテナとして機能する。記憶部１０５は、演算部１０４が受信回路１０３から取得したＣＮＲ値を記録し、必要に応じて演算部１０４がその値を使用することが可能である。
【００２１】
図２は、本実施例における同調周波数調節部１０２の実施例の一例を示したブロック図である。以下、図２に示した同調周波数調節部１０２の詳細について説明する。
【００２２】
同調周波数調節部１０２は、容量素子２０１、可変容量素子２０２及び抵抗２０３を備えている。演算部１０４から同調周波数調節部１０２へ入力された制御信号が、可変容量素子２０２の容量値を制御する。本実施例では、可変容量素子２０２を可変容量ダイオードで構成している。制御信号は可変容量ダイオードに印加される逆バイアス電圧であり、電圧値を変えることで容量値を変化させる。可変容量素子２０２の容量値を変化させることにより、アンテナ１０１の特性インピーダンスを変化させ、アンテナ１０１の同調周波数を変化させる。
以上が、本実施例に示す受信装置の基本的な構成である。
【００２３】
次に、本実施例に示すアンテナの特性について図３及び図４を用いて説明する。
図３は、前記制御信号の値によって、アンテナ１０１の同調周波数が変化する様子を示した特性図である。図３の横軸が演算部１０４から入力される制御信号の値を、縦軸がアンテナ１０１の同調周波数を表している。使用者が視聴を所望している周波数チャネルの周波数をｆｃｈとする。図３では、前記制御信号（可変容量ダイオードに印加される逆バイアス電圧）の値は、下限値Ｖｍｉｎと上限値Ｖｍａｘの間の値を取り、前記制御信号の値をＶｃｈとしたときに、アンテナ１０１の同調周波数が前記受信周波数ｆｃｈに一致することを示している。下限値Ｖｍｉｎと上限値Ｖｍａｘは、例えば、地上デジタル放送の周波数帯である４７０ＭＨｚと７７０ＭＨｚとに対応している。あるいは搭載部品の性能ばらつきや基板の製造ばらつきなどによる余裕を考慮して地上デジタル放送の周波数帯より広めに設定する。
【００２４】
図４は、図１に示した実施例において、制御信号の値に対するＣＮＲ（搬送波の平均電力と雑音電力の比の値）の一例を示す特性図である。図４の横軸が制御信号の値を、縦軸がＣＮＲの値を表しており、図４は、制御信号の値を変化させることでＣＮＲの値が変化することを示している。また、図４は、受信装置に近接する物体が存在しない場合には、ＣＮＲの値が最大値となる制御信号の値はＶｃｈであるが、物体が存在する場合には、ＣＮＲの値が最大値となる制御信号の最適な値はＶｃｈではなくＶｂｅｓｔであることを表している。この最適値が変化する原因は、受信装置に近接する物体の影響によって同調周波数が変化したため、使用者が視聴を所望している周波数チャネルの周波数ｆｃｈと同調周波数とが一致する制御信号の値がＶｃｈではなくＶｂｅｓｔとなったためである。
【００２５】
次に、演算部１０４の動作の詳細について説明する。
演算部１０４は、ＶｍｉｎとＶｍａｘの間を探索範囲とし、探索範囲の中からＣＮＲが最大値となる制御信号の値Ｖｂｅｓｔを探索する。この探索により最適な制御信号の値を得ることができ、受信装置に近接する物体の影響がある場合でもアンテナ１０１の同調周波数と受信周波数とのずれを補正することが可能となる。
【００２６】
この探索を実行する手順を図５のフローチャートを用いて説明する。
図５に示すフローチャートにおいて、ステップＳ５０１で、演算部１０４は制御信号の値（以下Ｖｃｔｒｌ）を探索範囲の下限値であるＶｍｉｎに設定する。
ステップＳ５０２は終了判定であり、Ｖｃｔｒｌの値が探索範囲の上限値であるＶｍａｘを超えたか否かを判定し、判定の結果がＹｅｓであれば一連の処理を終了する。判定の結果がＮｏであれば、ステップＳ５０３に進む。Ｓ５０３では、受信回路１０３において受信した信号のＣＮＲを測定し、測定したＣＮＲを演算部１０４が読み取る。ステップＳ５０４では、Ｖｃｔｒｌの値を所定量のｔだけ増加させて新たなＶｃｔｒｌとして、ステップＳ５０２へ戻る。ここで、ｔは任意の実数値（例えば、０．１Ｖ又は０．５Ｖ）である。以降、Ｓ５０２の終了判定が成立するまでＳ５０４までの動作を繰り返す。
【００２７】
上述の処理を実行することで、探索範囲内の制御電圧値に対するＣＮＲを求めることができ、得られた結果を比較することでＣＮＲの値が最大となる制御信号の値であるＶｂｅｓｔを求めることができる。Ｖｂｅｓｔを算出する手順は図５には記載していないが、ステップＳ５０３の処理の一部として、ステップＳ５０３において測定したＣＮＲを演算部１０４に設けられている記憶部１０５に記憶し、ステップＳ５０２、Ｓ５０３、Ｓ５０４の一連のループ動作の都度、ＣＮＲが最大となる制御電圧値Ｖｃｔｒｌの値を更新し、逐次、高い方のＣＮＲ値とそのときの制御電圧値Ｖｃｔｒｌとを記憶していくことでＶｂｅｓｔを得る方法、あるいは、ステップＳ５０１とＳ５０４で設定されるＶｃｔｒｌのすべての値に対して対応するＣＮＲの値を制御電圧値Ｖｃｔｒｌの値とともにステップＳ５０３において記憶部１０５にすべて記憶し、ステップＳ５０２の終了判定が成立した後に記憶部に記憶されたＣＮＲのうち最大の値が得られる制御電圧値Ｖｃｔｒｌを求めこれをＶｂｅｓｔとする方法などがある。Ｖｂｅｓｔが求まった後、演算部１０４は制御信号の値ＶｃｔｒｌをＶｂｅｓｔに設定することで、アンテナ１０１の同調周波数は受信周波数に一致するため、安定な受信動作が実現される。
ステップＳ５０４でＶｃｔｒｌの値を増加させる増加量としてｔを用いて説明したが、このｔの値を小さくすることでＶｂｅｓｔの値を求める際の分解能を小さくすることができ、より詳細な値のＶｂｅｓｔを求めることが可能となる。ただし、Vｃｔｒｌを設定する最小分解能がｔの下限値となる。また、ｔの値を大きくすることでＶｂｅｓｔを求める精度が荒くなるが、ステップＳ５０２、Ｓ５０３、Ｓ５０４からなる一連のループ動作が終了するまでの所要時間を小さくすることができ、より早くＶｂｅｓｔを求めることが可能となる。最適な制御電圧Ｖｂｅｓｔの探索に際して、当初は大きな増加量ｔで探索してＶｂｅｓｔが存在している制御電圧値Ｖｃｔｒｌの範囲を粗く絞り、その後、当該制御電圧値Ｖｃｔｒｌの範囲を小さな増加量ｔで探索してＶｂｅｓｔを求めることもできる。
【００２８】
ここではＶｍｉｎを初期値としてＶｃｔｒｌの値をＶｍａｘまで増加させていく手順を説明したが、探索範囲内の制御電圧値に対するＣＮＲを求めることができれば、Ｖｍａｘを初期値としてＶｍｉｎまで減少させるなど他の手順によっても同様の効果が得られることは自明である。
【００２９】
ステップＳ５０３で受信装置１０３がＣＮＲを測定する手順において、測定はＶｃｔｒｌが任意の値に設定された後に一度のみ測定した結果を使用しても良い。しかしながら、測定結果に含まれる測定誤差が大きい場合には誤ったＣＮＲ値に基づいて動作することになり、最適なＶｂｅｓｔが得られないことを考慮する必要があるので、測定結果に含まれる誤差を低減する必要がある。
【００３０】
図１２のグラフはＣＮＲ測定結果の例である。図１２に示すように、ＣＮＲの測定結果は測定の都度異なる値となっている。その最大値と最小値の差が測定誤差であり、測定回数（横軸）をｎとし、ｎ回分のデータの平均値を取ることで１回の測定結果のみを用いるより確からしい値が得られることがわかる。
【００３１】
図１３を用いて、図５（後述する図８においても同じ）おけるステップＳ５０３のＣＮＲ測定の手順を説明する。ステップＳ１３０１がＣＮＲ測定手順の開始であり、測定回数を表す変数ｎを１に設定する。ステップＳ１３０２において、図１における受信回路１０３で受信信号のＣＮＲを測定する。測定されたＣＮＲ値はステップＳ１３０３において、演算回路１０４が受信回路１０３から読み取る。演算回路１０４では読み取ったＣＮＲ値に対して平均化処理を行なう。ステップＳ１３０４は終了判定である。測定回数ｎが予め定められた測定回数Ｎ回に達する、即ち、Ｎ回の測定が終了していればステップＳ１３０７へ進み、Ｎ回の測定が完了していない場合は、ステップＳ１３０５に進む。ステップＳ１３０５ではＣＮＲ測定間隔を保つように一定時間待機する。ステップＳ１３０６で測定回数を表す変数ｎを１増加させてステップＳ１３０３に戻り、上述の動作を繰り返す。ステップＳ１３０７では直前のＳ１３０３の処理で得られた所定のＮ回分の平均値をＣＮＲ値として記録する。
【００３２】
図１３に示した以上の処理が、図５（図８）におけるステップＳ５０３のＣＮＲ測定で行なわれる。図１３で示す一連のＣＮＲ測定処理は、図５（図８）のフローチャートでＶｃｔｒｌがステップＳ５０４で変更されるごとに毎回実施される。
【００３３】
以上の平均値算出処理により、１回の測定結果のみを用いるより確からしい値を得ることができる。ここでの説明ではデータ数をＮとして説明したが、Ｎを大きくするほど算出した平均値の確からしさを増すことができる。また、Ｎを小さくすることで測定に必要な時間を短くすることが可能である。本説明ではステップＳ１３０２において受信回路１０３が測定する対象をＣＮＲとして説明したが、測定対象がＭＥＲ、ＢＥＲの場合でも同様の動作が可能である。ただし平均化処理に関しては、対象によって算術平均、幾何平均などを考慮することが必要である。データ測定回数Ｎに関しては事前に定めておいても良いし、平均値の変化がある閾値以下になったとき（ただし最小値は別途定めておく）、平均値の変化が最大値と最小値の差分の一定量以下になったときなど任意に決めてよい。このようにＮの値を可変とすることにより、ＣＮＲの変化量が小さい、すなわち図１２における測定誤差が小さい場合にはより早くＣＮＲの平均値算出を終了させることができ、処理時間の高速化を図ることができる。受信端末が置かれている環境が事前に分かっていてＣＮＲの測定誤差範囲を見積もることが可能であれば、その誤差範囲に基づいてＮの値を決めても良い。一例として、受信回路１０２において受信信号のドップラーシフト量を求めるなどの処理により受信端末が移動環境にあることがわかる場合や、受信電界強度が小さく外来雑音の影響を受けやすいときなどはＣＮＲの測定誤差も大きくなることが予想される。このときはＮの値を充分大きくすることによりＣＮＲの算出結果の確からしさを高めることができる。反対に受信端末が静止状態にあることがわかるときや、受信電界強度が充分に大きく外来雑音の影響が小さい場合はＣＮＲの測定誤差が小さくなることが予想される。このときはＮの値を小さくしてもＣＮＲの算出結果の確からしさを維持することができる。このようにＮの値を可変とすることで受信環境に応じて最適な動作を実現することができる。
【００３４】
また、ここでは平均値を求める例を示したが、Ｎ回測定した全データの中央値や、ＣＮＲ値を度数分布（例えば０. ５刻みの数値）で表したときの最頻値などを平均値の代わりに用いても良い。平均値処理では外れ値の影響を受けやすく、受信信号の瞬断や外来雑音の影響で一瞬だけＣＮＲが大きく劣化した場合ＣＮＲの平均値も大きく劣化してしまうが、中央値を使用することで外れ値の影響を受けにくくすることが可能である。
【００３５】
次に、本動作における問題点と対策手法について説明する。上述の説明では、ＶｍｉｎとＶｍａｘの間を探索範囲とし、この探索範囲の中から探索を実行することによりＶｂｅｓｔを求める処理に多大な時間がかかるという問題点がある。
【００３６】
そこで、受信装置に近接する物体の影響によるアンテナの同調周波数変化の変化量及び変化方向を特定し、探索範囲を狭くする。受信装置に近接する物体とは、例えば、本実施例に示す受信装置を使用する端末使用者の人体である。
【００３７】
以下、探索範囲を狭くする方法について説明する。図６は、受信装置に人体が近接していない場合と近接した場合、それぞれの場合における、制御信号値とアンテナ１０１の同調周波数との関係を示している。受信装置に人体が近接していない場合には、制御信号の値をＶｃｈとすることでアンテナ１０１の同調周波数は端末使用者が視聴を所望する受信周波数ｆｃｈと一致するが、受信装置に人体が近接した場合には容量増大と同等になることに起因してアンテナ１０１の同調周波数が変化し（低くなり）、受信周波数とずれが生じる。ここで、受信装置に人体が近接することによるアンテナ１０１の同調周波数の変化量及び変化の方向（同調周波数が高くなるか低くなるか）を予め調査しておく。この調査の結果、受信周波数が例えば４７０ＭＨｚの場合は同調周波数の変化量は最大でも１００ＭＨｚを超えないこと、及びアンテナ１０１の同調周波数は一般的には低くなることがわかっている。
【００３８】
演算部１０４は、このことを利用して探索範囲を狭くする探索範囲限定手段を備えている。演算部１０４では、探索範囲を、ＶｍｉｎとＶｍａｘの間とするのではなく、前記Ｖｃｈとアンテナ１０１の同調周波数を１００ＭＨｚ高くする制御信号値量だけＶｃｈよりも大きい制御信号値（逆バイアス電圧値）との間を探索範囲とする。図７は探索範囲を狭くした様子を示している。
【００３９】
上述の手法で探索範囲を狭くした場合の探索を実行する手順を図８のフローチャートを用いて説明する。なお、図５と同様の処理には同じ符号を記す。
図８において、図５との違いは、ステップＳ８０１が追加されていること、及び探索範囲の下限値をＶｍｉｎ２、上限値をＶｍａｘ２としていることである。
ステップＳ８０１では、ＶｃｈをＶｍｉｎ２の値とし、Ｖｃｈよりもアンテナ１０１の同調周波数を１００ＭＨｚ高くする制御信号値量だけ大きい値をＶｍａｘ２の値としている。それ以降の処理は全て上述の図５の処理と同様である。
【００４０】
図８に示す処理を実行することで、図５の処理よりも高速に、ＣＮＲの値が最大となる制御信号の値であるＶｂｅｓｔを探索することができる。また、図７から分かるように、狭くした探索範囲内にＣＮＲが最大となる制御信号値が含まれているため、探索範囲を狭くしてもＣＮＲが最大となる制御信号値を必ず探索可能である。
【００４１】
上述のように、受信装置に近接する物体、例えば人体の影響による同調周波数の変化量、および変化方向を調査し、この調査結果に基づいて探索範囲を狭くすることで、探索に要する時間を短縮することができる。また、この手法では特別に追加回路を設けることなく、高速に上記制御信号の最適値Ｖｂｅｓｔを探索することで同調周波数のずれを補正することができる。この結果、従来の受信装置では制御信号の最適値を探索している間は、アンテナの同調周波数はアンテナの同調周波数は端末使用者が受信を希望する周波数とずれたままであり、探索が完了するまで長時間待つ必要があったが、本構成をとることで探索時間を短縮化することができ、端末の使い勝手を向上することができる。
【００４２】
しかし、受信端末に近接する物体の当該受信端末への影響が変化してアンテナの特性インピーダンスが変化した場合には、制御信号の最適値が変化することがある。このとき、制御信号の値を一旦探索して求めたＶｂｅｓｔに設定したままでは受信特性が劣化するため、最適値の探索を再度実施する必要がある。本発明の要点である、最適値の再探索を考慮した制御手順について以下説明する。
【００４３】
図９は最適値の探索の実施を説明するフローチャートである。ステップＳ９０１はテレビ視聴機能の動作が開始された状態であり、本受信装置が起動した状態である。受信装置の起動では図１の受信回路１０３に対する初期化設定や選局設定が行なわれ、受信回路１０３に放送信号が入力されればテレビの視聴が可能な状態となる。演算部１０４が同調周波数調節部１０２に出力する制御信号の値は、探索を行なっていない状態では端末に近接する物体はないものとして扱い、図４で示すＶｃｈの制御信号値に設定されている。ここで制御信号値Ｖｃｈは任意の受信周波数ｆｃｈに対して図３のグラフにより関連付けられる値であり、ｆｃｈは、使用者がテレビ機能起動後に入力した周波数チャネル、受信装置が最後に動作していたときに選局されていた周波数チャネル、又は受信端末の初期値として事前に設定されていた周波数チャネルに相当する周波数である。
【００４４】
ステップＳ９０１でのテレビ視聴機能の動作開始時点でのＶｃｈの設定に対して、実際には受信装置に近接する物体がある可能性があるため、ステップＳ９０２で制御信号の最適値を探索する。Ｓ９０２の結果、図５ないし図８で説明したように制御信号の最適値としてＶｂｅｓｔが求められる。この結果を受けて、演算部１０４は同調周波数調節部１０２に出力する制御信号の値をＶｂｅｓｔに設定してアンテナ１０１の同調周波数を使用者が視聴を所望する信号周波数に一致させ、ステップＳ９０３として通常の視聴状態となる。
ステップＳ９０４は終了判定であり、テレビ視聴機能がオフされた場合は本フローチャートが終了する。オフされていない場合はステップＳ９０５に遷移する。
【００４５】
ステップＳ９０５では端末に近接する物体が変化していないかを判定する。Ｓ９０５における動作の詳細は後述するが、ここで端末に近接する物体に変化があることが検出された場合、演算部１０４が同調周波数調節部１０２に出力する制御信号の値を最適化する必要があると判断され、ステップＳ９０６に遷移して最適値の再探索が実施される。Ｓ９０６の再探索実施により制御信号の値として新たに最適な値Ｖｂｅｓｔ２が求められ、この結果を受けて、演算部１０４は同調周波数調節部１０２に出力する制御信号の値をＶｂｅｓｔ２に設定してアンテナ１０１の同調周波数を使用者が視聴を所望する信号周波数に一致させ、ステップＳ９０３として通常の視聴状態となる。
ステップＳ９０５において端末に近接する物体に変化があることが検出されなかった場合は、探索は実施されずＳ９０３に戻り通常の視聴状態が継続される。
【００４６】
Ｓ９０３からＳ９０６までのステップが繰り返されることにより、端末に近接する物体に変化が生じアンテナ１０１の同調周波数を変更する必要が生じた場合でもステップＳ９０５において状態の変化が検出され、Ｓ９０６で新たな制御信号の値Ｖｂｅｓｔ２が探索されるため、常に安定なテレビの視聴状態が継続されることになる。
【００４７】
以下、Ｓ９０５の端末に近接する物体における変化の有無の判定方法について詳細に説明する。図１０は本発明による受信装置の実施例の一例を示すブロック図である。図１に示した受信装置と同一の機能を有する機能ブロックには同一の符号を付し、動作説明を省略する。図１０において９０１は記憶部を備えた演算部であり、９０２は記憶部である。記憶部９０２は、演算部９０１が受信回路１０３から取得したＣＮＲ値を記録し、必要に応じて演算部９０１がその値を使用することが可能である。
【００４８】
図１４は図９におけるＳ９０５の判定方法を詳細に示すフローチャートである。このフローチャートでは、制御信号の値は互いに異なる２通りの値に設定されて、各値における受信状態又は信号品質を測定して、それらの比較結果に基づいて再探索を実施するか否かを判定している。
図１４のステップＳ１４０１は制御信号の値の最適値探索を行なう必要があるか否かの判定の開始である。このとき使用者は通常の視聴状態であるため、図９のステップＳ９０２で求められた制御信号の値として最適なＶｂｅｓｔが制御信号の値として設定されている状態である（制御信号の値についての一方の設定値）。ステップＳ１４０２で演算部９０１は受信回路１０３が測定したＣＮＲを読み取る。この現在のＣＮＲの値をＣＮＲ１として演算部９０１内の記憶部９０２に記録する。ステップＳ１４０３で演算部９０１は制御信号の値ＶｃｔｒｌとしてＶｃｈを設定する（制御信号の値についての他方の設定値）。Ｖｃｈは、既に説明しているように、受信装置に近接する物体がない場合に使用者が視聴を所望している受信周波数ｆｃｈに最適な制御信号の値である。ステップＳ１４０４において、制御信号の値ＶｃｔｒｌがＶｃｈに設定された状態のＣＮＲを受信回路１０３が測定し、そのＣＮＲ値を演算部９０１が読み取ってＣＮＲ２として記録する。
【００４９】
ステップＳ１４０５において、記憶部９０２に記録されたＣＮＲ１とＣＮＲ２とを比較する。ステップＳ１４０５の判定の結果、ＣＮＲ１がＣＮＲ２よりも優っていた場合はＶｃｔｒｌがＶｂｅｓｔに設定されていた状態が受信状態として優れていることになるため、ステップＳ１４０７において制御信号の値ＶｃｔｒｌをＶｂｅｓｔに戻して判定処理を終了する。この場合、図９のフローチャートにおけるステップＳ９０５の判定はＮｏであり、探索は実施されず通常視聴に戻る。
【００５０】
ステップＳ１４０５の判定の結果、ＣＮＲ１がＣＮＲ２よりも劣っていた場合はＶｃｔｒｌがＶｂｅｓｔに設定されている状態より受信性能が優る制御信号値があることになるため、最適な制御信号の値を探索する必要がある。この場合、図９のフローチャートにおけるステップＳ９０５の判定はＹｅｓであり、最適な制御信号の値が探索される。
【００５１】
図１５は本実施例を説明する特性図であり、図４と同じく制御信号の値に対するＣＮＲの値の一例を示している。図１５において横軸が制御信号の値を、縦軸がＣＮＲの値をそれぞれ表しており、制御信号の値を変化させることでＣＮＲの値が変化することを示している。３本の特性曲線を記載しており、受信装置に近接する物体が存在しない場合には特性曲線１５０１の特性を示し、制御信号の値ＶｃｔｒｌをＶｃｈに設定したときに最良のＣＮＲが得られる。特性曲線１５０２は端末に近接する物体が存在し、かつその影響が大きい場合であり、このときＣＮＲの値が最大値となる制御信号の値はＶｃｈではなく、Ｖｂｅｓｔであることを表している。特性曲線１５０３は端末に近接する物体が存在するがその影響は特性曲線１５０２ほどではない場合であり、このときＣＮＲの値が最大値となる制御信号の値はＶｂｅｓｔ２であることを表している。
【００５２】
３本の特性曲線が具体的にはどのような状態にあるかを、図１１を用いて説明する。図１１は受信端末である。図１１において１００１が蓋体部であり、液晶表示部が搭載されている。１００２が本体部であり、図示していないが入力用のキー配置のほか、アンテナ、受信回路等からなる受信装置が搭載されている。図１１の（ａ）は蓋体部１００１が開状態にあるときを、（ｂ）は蓋体部１００１が閉状態にあるときを示しており、本体部１００１と蓋体部１００２の間に設けられているヒンジ部を回転させることで両方の状態間で移行可能である。図１５における特性曲線１５０１は端末のアンテナに近接する物体がない状態であり、図１１の（ａ）の状態でかつ人体が近接していない状態である。図１５における特性曲線１５０２は、人体のようにアンテナに与える影響が大きい物体が端末のアンテナに近接している状態であり、例として図１１の（ａ）の状態の端末を手で本体部１００２を覆うように保持している状態である。図１５における特性曲線１５０３は人体ほどの影響はないが、アンテナに近接する物体が存在している状態であり、例として図１１（ｂ）に示されるように本体部１００２に格納されている受信装置に蓋体部１００１が近接している状態である。
【００５３】
端末の状態と各特性曲線との関係について更に詳述すると、使用者が端末のテレビ機能を開始したとき端末は図１１の（ａ）の状態でかつ手で保持された状態であり、図１５の特性曲線では１５０２の状態である。受信装置の動作を示す図９のフローチャートで、ステップＳ９０２はこの特性曲線１５０２の状態で実施されるため、制御信号の値Ｖｃｔｒｌは特性曲線１５０２上で最大のＣＮＲが得られるＶｂｅｓｔに設定される。その後、使用者が端末を図１１の（ｂ）の状態で視聴していた場合、図１５の特性曲線は１５０３の状態に移行する。ただし、制御信号値ＶｃｔｒｌはＶｂｅｓｔに設定されたままである。受信装置の動作を示す図９のフローチャートで、ステップＳ９０５の処理が実施されたとき、更に具体的には図１４のステップＳ１４０２の処理においてＣＮＲが測定されたとき図１５のＣＮＲ１が観測され、ステップＳ１４０４の処理ではＣＮＲとして図１５のＣＮＲ２が観測される。この結果、ＣＮＲ１＜ＣＮＲ２であるため、図１４のフローチャート上でステップＳ１４０６に進み、図９のフローチャートのステップＳ９０６の制御信号の最適値を探索する処理が実施される。ここでは特性曲線１５０３に従うため、図１５から制御信号値ＶｃｔｒｌはＶｂｅｓｔ２が求められる。
【００５４】
以上の動作により、受信端末のテレビ視聴状態がテレビ機能開始直後の状態と異なった場合でも、図９に示したフローチャートに従って動作することにより、端末の状態に変化が起きたことが判明し、制御信号の最適化処理が実施されて常に最適な制御信号値が維持される。こうして、常に安定なテレビ視聴が実現される。
なお、端末を手に持って操作した後、元の場所に戻されるというように、端末の環境が一時的に変更されても、直ぐ元に戻る場合がある。こうした場合のことも想定して、制御信号の最適値の再探索をすることなく、例えば、アンテナの同調周波数が受信周波数に一致するときの制御信号の値であるＶｃｈという固定値に戻すことも、対策の一つに成りうる。
この場合の動作例を図２１に示す。図２１におけるＳ２１０５では図９におけるＳ９０５と同様の処理を行ない、その結果がＹｅｓの場合はＳ２１０６において制御信号値ＶｃｔｒｌをＶｃｈに戻す処理を行なう。
図２２は、図２１におけるＳ２１０５の判定方法を詳細に示すフローチャートである。図１４と比較して、Ｓ１４０５の判定でＹｅｓとなった場合の処理が異なっており、探索を行なわずに制御電圧値ＶｃｔｒｌをＶｃｈに戻す処理を行なう。再探索処理を行なわないため、図９に示す動作例と比較して処理が少なくすみ、動作の高速化を図ることができる。
【実施例２】
【００５５】
図１６は、本発明による受信装置の第二の実施例を説明するフローチャートである。図１６に示すフローチャートによる動作を図１０に示したブロック図の構成に適応させた動作について以下説明する。
【００５６】
図１６において、ステップＳ１６０１は、テレビ視聴機能の動作が開始された状態であり、本受信装置が起動した状態である。受信装置の起動状態では図１０の受信回路１０３に対する初期化設定や選局設定が行なわれ、受信回路１０３に放送信号が入力されればテレビの視聴が可能な状態となる。演算部９０１が同調周波数調節部１０２に出力する制御信号の値は初期状態においては受信装置に近接するする物体はないものとして扱い、図４で示すＶｃｈの制御信号値に設定されている。ここで制御信号値Ｖｃｈは任意の受信周波数ｆｃｈに対して図３のグラフにより関連付けられる値であり、ｆｃｈとしては、使用者がテレビ機能起動後に入力した周波数チャネル、受信装置が最後に動作していたときに選局されていた周波数チャネル、又は受信端末の初期値として事前に設定されていた周波数チャネルに相当する周波数が設定される。
【００５７】
しかしながら、実際には受信装置に近接する物体（使用者本人等）が存在する可能性があるため、ステップＳ１６０２で最適な制御信号の値を探索する。Ｓ１６０２における探索の結果、図８で説明したように制御信号の最適値としてＶｂｅｓｔが求められる。この結果を受けて、演算部９０１は同調周波数調節部１０２に出力する制御信号の値をＶｂｅｓｔに設定してアンテナ１０１の同調周波数を使用者が視聴を所望する信号周波数に一致させる。次にステップＳ１６０３では受信回路１０３はこの状態におけるＣＮＲを測定し、演算部９０１はこのＣＮＲ値を読み取り、ＣＮＲ３として記憶部９０２に記録する。その後ステップＳ１６０４として通常の視聴状態となる。ステップＳ１６０５は終了判定であり、テレビ視聴機能がオフされた場合は本フローチャートが終了する。オフされていない場合はステップＳ１６０６に遷移する。
【００５８】
ステップＳ１６０６では、受信回路１０３が受信信号のＣＮＲを再度測定する。演算部９０１はこのＣＮＲ値を読み取り、ＣＮＲ４として記憶部９０２に記録する。ステップＳ１６０７では端末に近接する物体が変化していないかを判定する。Ｓ１６０７における動作の詳細は後述するが、ここで近接する物体に変化があることが検出された場合、演算部９０１が同調周波数調節部１０２に出力する制御信号の値を最適化する必要があると判断され、ステップＳ１６０８に遷移して最適値の探索が実施される。Ｓ１６０８の探索実施により制御信号の値として新たに最適な値Ｖｂｅｓｔ２が求められ、この結果を受けて演算部９０１は同調周波数調節部１０２に出力する制御信号の値をＶｂｅｓｔ２に設定してアンテナ１０１の同調周波数を使用者が視聴を所望する信号周波数に一致させ、ステップS１６０９で新たにＣＮＲ３の値が更新され、ステップＳ１６０４として通常の視聴状態となる。
【００５９】
ステップＳ１６０７において近接する物体に変化があることが検出されなかった場合は、探索は実施されずＳ１６０４に戻り通常の視聴状態が継続される。
Ｓ１６０４からＳ１６０８までのステップが繰り返されることにより、端末に近接する物体に変化が生じアンテナ１０１の同調周波数を変更する必要が生じた場合でもステップＳ１６０７において状態の変化が検出され、Ｓ１６０８で新たな制御信号の値Ｖｂｅｓｔ２が探索されるため、常に安定なテレビの視聴状態が継続されることになる。
【００６０】
以下、Ｓ１６０７の近接物体における変化の有無の判定方法について詳細に説明する。演算部９０１では記憶部９０２に記録されたＣＮＲ３とＣＮＲ４との差の絶対値を計算する。予め閾値ＣＮＲｔｈを定めておき、ＣＮＲ３とＣＮＲ４との差がこの閾値ＣＮＲｔｈを下回っている場合には、アンテナに近接する物体に変化はないものと判断する。また、ＣＮＲ３とＣＮＲ４との差がＣＮＲｔｈを上回った場合には、アンテナに近接する物体に変化があり、アンテナの同調周波数に変化が生じたものと判定する。このときのアンテナの特性曲線の変化を、図１７を用いて説明する。
【００６１】
図１７は本実施例を説明する特性図であり、図４と同じく制御信号の値に対するＣＮＲの値の一例を示している。図１７において横軸が制御信号の値を、縦軸がＣＮＲの値をそれぞれ表しており、制御信号の値を変化させることでＣＮＲの値が変化することを示している。３本の特性曲線を記載しており、受信装置に近接する物体が存在しない場合には特性曲線１７０１の特性を示し、制御信号の値ＶｃｔｒｌをＶｃｈに設定したときに最良のＣＮＲが得られる。特性曲線１７０２は端末に近接する物体が存在し、かつその影響が大きい場合であり、このときＣＮＲの値が最大値となる制御信号の値はＶｃｈではなく、Ｖｂｅｓｔであることを表している。図１６で示したフローチャートのステップＳ１６０３において測定されたＣＮＲ３は、制御信号値がＶｂｅｓｔのときの特性曲線１７０２上のＣＮＲ値である。特性曲線１７０３は端末に近接する物体が存在するがその影響は特性曲線１５０２ほどではない場合であり、このときＣＮＲの値が最大値となる制御信号の値はＶｂｅｓｔ２であることを表している。図１６で示したフローチャートのステップＳ１６０６において測定されたＣＮＲ４は、制御信号値がＶｂｅｓｔのときの特性曲線１７０３上のＣＮＲ値である。
【００６２】
受信装置に近接する物体の影響が、図１７の特性曲線１７０２の状態から特性曲線１７０３の状態に変化した場合、制御信号値がＶｂｅｓｔに設定された状態でのＣＮＲ値がＣＮＲ３からＣＮＲ４に変化している。この差分が上述の閾値ＣＮＲｔｈ以下の場合には特性曲線の変化は少ないものとし、図１６のフローチャートではステップＳ１６０７の判定結果がＮｏであり、制御信号値の最適値の再探索は実施されない。この差分がＣＲＮＲｔｈ以上の場合に、特性曲線に有意の変化があるとされ、図１６のフローチャートではステップＳ１６０７の判定結果がＹｅｓとされる。次に、ステップＳ１６０８に遷移して、制御信号値の最適値の再探索が実施される。図１７の例では再探索の結果として、制御信号値の最適値としてＶｂｅｓｔ２が探索される。
【００６３】
ここで説明した以外の動作に関しては実施例１と同様の動作を行なう。以上、説明したように、図１６に示したフローチャートに従って動作することにより、通常のテレビ視聴状態において随時ＣＮＲの変化を測定し、閾値ＣＮＲｔｈ以上の変化が生じた場合に制御信号値の再探索が実施される。この結果、受信端末のテレビ視聴状態がテレビ機能開始直後の状態と異なった場合でも、端末の状態に変化が起きたことが判明し、制御信号の最適化処理が実施されて常に最適な制御信号値が維持される。こうして、常に安定なテレビ視聴が実現される。
【００６４】
なお、ＣＮＲの測定値に変化が生じる原因として、アンテナに近接する物体の影響が変化した場合ではなく、ビル影等の影響による受信地点の電界強度の低下、アンテナの指向性の影響による受信電力の低下なども考えられる。この場合は図１７の特性曲線１７０２はＣＮＲ値が下がる方向に並行に移動することになる。図１６のフローチャートのステップＳ１６０６では、この場合もＣＮＲ４として、ＣＮＲ３より低下した値が読み取られることになり、制御信号値の再探索が実施されることになる。ただし、再探索の結果として制御信号値の最適値としてはＶｂｅｓｔが設定されることになるため、この場合も最適な受信条件を得ることが可能である。
【実施例３】
【００６５】
図１８は本発明による受信装置の第三の実施例を説明するフローチャートである。図１８に示すフローチャートによる動作を図１０に示したブロック図の構成に適応させた動作について以下説明する。
【００６６】
図１８において、ステップＳ１８０１は、テレビ視聴機能の動作が開始された状態であり、本受信装置が起動した状態である。受信装置の起動状態では図１０の受信回路１０３に対する初期化設定や選局設定が行なわれ、受信回路１０３に放送信号が入力されればテレビの視聴が可能な状態となる。演算部９０１が同調周波数調節部１０２に出力する制御信号の値は初期状態においては受信装置に近接する物体はないものとして扱い、図４で示すＶｃｈの制御信号値に設定されている。ここで制御信号値Ｖｃｈは任意の受信周波数ｆｃｈに対して図３のグラフにより関連付けられる値であり、ｆｃｈとしては、使用者がテレビ機能起動後に入力した周波数チャネル、受信装置が最後に動作していたときに選局されていた周波数チャネル、又は受信端末の初期値として事前に設定されていた周波数チャネルに相当する周波数が設定される。
【００６７】
しかしながら、実際には受信装置に近接する物体（使用者本人等）が存在する可能性があるため、ステップＳ１８０２で最適な制御信号の値を探索する。Ｓ１８０２における探索の結果、図８で説明したように制御信号の最適値としてＶｂｅｓｔが求められる（制御信号の値についての３通りの設定値のうちの一つの設定値）。この結果を受けて、演算部９０１は同調周波数調節部１０２に出力する制御信号の値をＶｂｅｓｔに設定してアンテナ１０１の同調周波数を使用者が視聴を所望する信号周波数に一致させる。次にステップＳ１８０３では受信回路１０３はこの状態におけるＣＮＲを測定し、演算部９０１はこのＣＮＲ値を読み取り、ＣＮＲ５として記憶部９０２に記録する。その後ステップＳ１８０４として通常の視聴状態となる。ステップＳ１８０５は終了判定であり、テレビ視聴機能がオフされた場合は本フローチャートが終了する。オフされていない場合はステップＳ１８０６に遷移する。
【００６８】
ステップＳ１８０６では、演算部９０１は制御信号値をＶｂｅｓｔより一定量小さい値（Ｖｂｅｓｔ−α）に設定し、このときのＣＮＲ値を受信回路１０３が測定し、演算部９０１はこのＣＮＲ値を読み取り、記憶部９０２にＣＮＲ６として記録する。次にステップＳ１８０７では、演算部９０１は制御信号値をＶｂｅｓｔより一定量大きい値（Ｖｂｅｓｔ＋α）に設定し、このときのＣＮＲ値を受信回路１０３が測定し、演算部９０１はこのＣＮＲ値を読み取り、記憶部９０２にＣＮＲ７として記録する。以上のＳ１８０３、Ｓ１８０６、Ｓ１８０７の処理により等間隔に並んだ３箇所の制御信号値におけるＣＮＲ値が得られる。制御信号値（Ｖｂｅｓｔ−α）及び（Ｖｂｅｓｔ＋α）が制御信号の値についての３通りの設定値のうちの他の二つの設定値である。
【００６９】
ステップＳ１８０８ではこの３箇所のＣＮＲ値を使用して端末に近接する物体が変化していないかを判定する。Ｓ１８０８における動作の詳細は後述するが、ここで近接する物体に変化があることが検出された場合、演算部９０１が同調周波数調節部１０２に出力する制御信号の値を最適化する必要があると判断され、ステップＳ１８０９に遷移して最適値の探索が実施される。Ｓ１８０７の探索実施により制御信号の値として新たに最適な値Ｖｂｅｓｔ２が求められ、この結果を受けて演算部９０１は同調周波数調節部１０２に出力する制御信号の値をＶｂｅｓｔ２に設定してアンテナ１０１の同調周波数を使用者が視聴を所望する信号周波数に一致させ、ステップ１８１０で新たにＣＮＲ５の値が更新され、ステップＳ１８０４として通常の視聴状態となる。
【００７０】
ステップＳ１８０８において近接する物体に変化があることが検出されなかった場合は、探索は実施されずＳ１８０４に戻り通常の視聴状態が継続される。
なお、図１８に記載していないが、ＣＮＲ７を取得した後にＶｃｔｒｌの設定値をＶｂｅｓｔに戻す処理がＳ１８０７のあと、ないし、Ｓ１８０８の判定処理のあとに必要である。
Ｓ１８０４からＳ１８０８までのステップが繰り返されることにより、端末に近接する物体に変化が生じアンテナ１０１の同調周波数を変更する必要が生じた場合でもステップＳ１８０８において状態の変化が検出され、Ｓ１８０９で新たな制御信号の値Ｖｂｅｓｔ２が探索されるため、常に安定なテレビの視聴状態が継続されることになる。
【００７１】
以下、Ｓ１８０８の判定方法について説明する。演算部９０１では記憶部９０２に記録されたＣＮＲ５、ＣＮＲ６及びＣＮＲ７の値を比較する。制御信号値がＶｂｅｓｔのときのＣＮＲ値であるＣＮＲ５がこの３箇所の値の中でもっとも優っている場合、アンテナに近接する物体に変化はないものと判断する。このときＳ１８０８の再探索開始判定の結果はＮｏである。ＣＮＲ６とＣＮＲ７のいずれか一方もしくは両者がＣＮＲ５より優っていた場合は、アンテナに近接する物体に変化があり、アンテナの同調周波数に変化が生じたものと判断する。このときＳ１８０８の再探索開始判定の結果はＹｅｓである。
【００７２】
本実施例の特徴についてさらに詳細に説明する。
Ｓ１８０８における判定において、ＣＮＲ５に対してＣＮＲ６が優り、ＣＮＲ７が劣っていた場合の特性図を図１９（ａ）に示す。このとき、最大のＣＮＲ値が得られる制御信号値のＶｂｅｓｔ２はＶｂｅｓｔより低い位置にあると考えられる。このため、Ｓ１８０９において実施される制御信号値の最適値を探索する処理では、探索範囲として、探索範囲の最小値はＶｃｈ、探索範囲の最大値はＶｂｅｓｔ−αに設定することができる。この結果、図８で説明した探索範囲に比較して探索範囲を狭くすることができ、探索に要する時間を短縮することが可能となる。
【００７３】
また、Ｓ１８０８における判定においてＣＮＲ５に対してＣＮＲ７が優り、ＣＮＲ６が劣っていた場合の特性図を図１９（ｂ）に示す。このとき、最大のＣＮＲ値が得られる制御信号値のＶｂｅｓｔ２はＶｂｅｓｔより高い位置にあると考えられる。このため、Ｓ１８０９において実施される制御信号値の最適値を探索する処理では、探索範囲として、探索範囲の最小値はＶｂｅｓｔ＋α、探索範囲の最大値は図８に従いＶｃｈ＋１００ＭＨｚ相当の制御信号値に設定することができる。この結果、図８で説明した探索範囲に比較して探索範囲を狭くすることができ、探索に要する時間を短縮することが可能となる。
【００７４】
探索が実施されている間、制御信号値が変更されることでアンテナの同調周波数が変化し、受信信号の信号電力が変化し、この結果受信特性が劣化する可能性があるが、短縮に要する時間を短縮することにより、受信特性が劣化する時間を短縮することが可能であり、使用者が安定なテレビ視聴の実現に効果がある。
【００７５】
以上説明したように図１８に示したフローチャートに従って動作することにより、通常のテレビ視聴状態において随時ＣＮＲの変化を測定し、制御信号値に対するＣＮＲの特性が変化したことが検出された場合に制御信号値の再探索が実施される。この結果、受信端末のテレビ視聴状態がテレビ機能開始直後の状態と異なった場合でも、端末の状態に変化が起きたことが判明し、制御信号の最適化処理が実施されて常に最適な制御信号値が維持される。こうして、常に安定なテレビ視聴が実現される。
【００７６】
なお、制御信号値の変化に対して、ＣＮＲ値の変化量が少ない場合、ＣＮＲ５、ＣＮＲ６及びＣＮＲ７の大小比較に誤判定が発生する可能性がある。しかし、図１３のＣＮＲ測定方法で既に説明したようにＣＮＲ測定の測定誤差を低減することにより精度の良いＣＮＲ値を求めることができる。また、ＣＮＲ６、ＣＮＲ７を測定するために設定するＶｃｔｒｌの値であるＶｂｅｓｔ−αとＶｂｅｓｔ＋αにおけるαの値を適切に設定することでもＣＮＲ５、ＣＮＲ６及びＣＮＲ７の大小比較に誤判定が発生する可能性を低減することが可能である。すなわち、αの値を大きくとることにより、ＣＮＲ５に対するＣＮＲ６、ＣＮＲ７の値の変化量を大きく取ることができ測定誤差による誤判定を低減することが可能である。具体的には、Ｖｃｔｒｌのとりうる範囲が０Ｖ〜３．０Ｖであった場合、αの値として例えば、０．１Ｖ又は０．５Ｖとすればよい。また、ＣＮＲ６とＣＮＲ７を求める際のαの値について上側と下側で同じ値にする必要は無く、ＣＮＲ６を求める際はＶｂｅｓｔ−α、ＣＮＲ７を求める場合はＶｂｅｓｔ＋β（ただしα≠β）、としてもよい。図４に示すアンテナの制御信号値とＣＮＲの関係が予めわかっている場合には、傾きが緩い側のαないしはβの値を大きくすることで測定誤差による誤判定を低減できる。
【実施例４】
【００７７】
図９におけるＳ９０５の判定条件の別の実施例として、加速度センサで受信端末の位置、向き、動作状態における変化の発生を検出する方法がある。加速度センサを用いた判定例を、図２０を用いて説明する。図２０において９０３は第三の記憶部、９０４は加速度センサである。受信端末の位置が変化することにより、アンテナに近接する物体の影響が変化することが考えられる。同様に受信端末の向きが変化することにより、アンテナに近接する物体の影響が変化することが考えられる。また、同様に受信端末が停止状態から停止状態以外に動作状態が変化したとき、及びこの逆の動作状態の変化が生じたことにより、アンテナに近接する物体の影響が変化することが考えられる。受信装置に加速度センサ９０４を設けることにより、受信端末の位置、向き、動作状態の変化を検出することができ、これらの検出結果を演算部９０１における第三の記憶部９０３に所定の間隔で記録し、記録した結果を演算部９０１が処理することにより、検出された変化量が所定の値を超えたとき、受信端末の位置の変化、向きの変化、動作状態の変化等によりアンテナの同調周波数を最適化する必要があると判断し、図９におけるＳ９０５の判定条件がＹｅｓを出力し、制御信号の最適値を探索し、新たな最適値に設定することが可能となる。
【００７８】
ここでは、加速度センサによる判定条件について説明したが、加速度センサではなく、接触センサを用いても良い。受信装置に接触センサを設けることで、受信端末に接触する物体があるか否かを検出することが可能である。特に人体の影響があるか否かを検出することが可能であり、接触センサの出力を第三の記憶部９０３に記録し、接触センサの出力に変化が生じたことを演算部９０１が検出することによって、受信端末に近接する物体に変化が生じたことが検出され、この結果、図９におけるＳ９０５の判定条件がＹｅｓを出力し、制御信号の最適値を探索し、新たな最適値に設定することが可能となる。
【００７９】
また、別の例として状態センサを用いても良い。受信装置に受信端末の開閉状態の変化を検出する状態センサを設けることで、受信端末の開閉状態を演算部９０１が検出することが可能となる。受信端末の開閉状態に変化が生じることにより、アンテナの同調周波数を最適化する制御信号値に変化が生じるため、状態センサが受信端末の開閉状態を演算部９０１に出力することで、受信端末の開閉状態の変化を演算部９０１が判断し、この結果、図９におけるＳ９０５の判定条件がＹｅｓを出力し、制御信号の最適値を探索し、新たな最適値に設定することが可能となる。
【００８０】
本実施例で示したように、加速度センサ等のセンサを用いることで、最小限の構成変更で図９に示すフローチャートの動作を実現することが可能となる。この結果、アンテナに近接する物体の変化により受信端末のテレビ視聴状態がテレビ機能開始直後の状態と異なった場合でも、端末の状態に変化が起きたことが検出され、制御信号の最適化処理が実施されて常に最適な制御信号値が維持される。こうして、常に安定なテレビ視聴が実現される。
【符号の説明】
【００８１】
１０１・・・アンテナ
１０２・・・同調周波数調節部
１０３・・・受信回路
１０４・・・演算部
２０１・・・容量素子
２０２・・・可変容量素子
２０３・・・抵抗
９０１・・・演算部
９０２・・・記憶部
９０３・・・センサ
１００１・・・蓋体部
１００２・・・本体部
【図１】
2011139202.tif 000003
【図２】
2011139202.tif 000004
【図３】
2011139202.tif 000005
【図４】
2011139202.tif 000006
【図５】
2011139202.tif 000007
【図６】
2011139202.tif 000008
【図７】
2011139202.tif 000009
【図８】
2011139202.tif 000010
【図９】
2011139202.tif 000011
【図１０】
2011139202.tif 000012
【図１１】
2011139202.tif 000013
【図１２】
2011139202.tif 000014
【図１３】
2011139202.tif 000015
【図１４】
2011139202.tif 000016
【図１５】
2011139202.tif 000017
【図１６】
2011139202.tif 000018
【図１７】
2011139202.tif 000019
【図１８】
2011139202.tif 000020
【図１９ａ】
2011139202.tif 000021
【図１９ｂ】
2011139202.tif 000022
【図２０】
2011139202.tif 000023
【図２１】
2011139202.tif 000024
【図２２】
2011139202.tif 000025